(57)【要約】【課題】  高い燃料圧力においても、簡便な構造でシリンダをポンプ本体に固定でき、シリンダを確実に固定でき、その結果ポンプ本体を小型、低コスト化できる高圧燃料供給ポンプを提供するものである。【解決手段】  本発明に係る高圧燃料供給ポンプは、ポンプ本体と、有底筒型形状かつ大径部と小径部を有しかつ当該小径部が前記ポンプ本体に支持されるシリンダと、前記ポンプ本体に固定されるリングと、を備え、前記シリンダは、前記小径部と前記大径部が形成する段差においてプランジャ圧縮方向に面圧着し燃料をシールし、前記リングは、前記シリンダの面圧着部に予圧力を付加しかつ前記シリンダの直径方向を規制する。【選択図】  図１
2019027334.tif 000002
【特許請求の範囲】
【請求項１】
ポンプ本体と、
有底筒型形状かつ大径部と小径部を有しかつ当該小径部が前記ポンプ本体に支持されるシリンダと、
前記ポンプ本体に固定されるリングと、を備え、
前記シリンダは、前記小径部と前記大径部が形成する段差においてプランジャ圧縮方向に面圧着し燃料をシールし、
前記リングは、前記シリンダの面圧着部に予圧力を付加しかつ前記シリンダの直径方向を規制する高圧燃料供給ポンプ。
【請求項２】
請求項１に記載された高圧燃料供給ポンプであって、
前記リングは、前記ポンプ本体にかしめにより固定される高圧燃料供給ポンプ。
【請求項３】
請求項１に記載された高圧燃料供給ポンプであって、
前記リングは、当該リングの一部が塑性変形して前記ポンプ本体の一部に嵌め合わされる高圧燃料供給ポンプ。
【発明の詳細な説明】
【技術分野】
【０００１】
本発明は、自動車用内燃機関用の高圧燃料供給ポンプのシリンダ構造に関する。
【背景技術】
【０００２】
自動車等の内燃機関の内、燃焼室へ直接的に燃料を燃焼室内部へ噴射する直接噴射タイプにおいて、燃料を高圧化するための高圧燃料供給ポンプが広く用いられている。
【０００３】
特許５１７８６７６号公報においては、シリンダ外周をシリンダホルダの円筒嵌合部で保持し、一方シリンダホルダの外周に螺刻されたねじを、外周に螺刻されたねじをポンプ本体に螺刻されたねじにねじ込むことによって、一方のシリンダ端面をポンプ本体に密着させ、もう一方のシリンダ端面をポンプ本体に密着させ固定する構造を有した高圧燃料供給ポンプが記載されている。（特許文献１参照）。
【先行技術文献】
【特許文献】
【０００４】
【特許文献１】特許５１７８６７号
【発明の概要】
【発明が解決しようとする課題】
【０００５】
しかしながら、上記従来技術においては、シリンダ固定に関してシリンダホルダを介してポンプ本体にねじ締結するため、内燃機関が要求する燃料圧力に応じたねじの締め付け軸力を確保する必要がある。近年、自動車の内燃機関の内、燃焼室へ直接的に燃料を燃焼室内部へ噴射する直接噴射タイプにおいて、燃料の圧力は環境規制対応の観点からより高圧化する方向へ要求が高まっている。上記従来技術において、より高い燃料の圧力に対応するためには、ねじの締め付け軸力を高め、シリンダをポンプ本体に固定する必要があり、結果、ねじサイズの拡大、強いてはポンプ本体の大型化を招き、製造コストの上昇、内燃機関への取り付けに制約が多くなり商品性を損なう恐れがある。
【０００６】
本発明の目的は高い燃料圧力においても、簡便な構造でシリンダをポンプ本体に固定でき、シリンダを確実に固定でき、その結果ポンプ本体を小型、低コスト化できる高圧燃料供給ポンプを提供するものである。
【課題を解決するための手段】
【０００７】
本発明に係る高圧燃料供給ポンプは、ポンプ本体と、有底筒型形状かつ大径部と小径部を有しかつ当該小径部が前記ポンプ本体に支持されるシリンダと、前記ポンプ本体に固定されるリングと、を備え、前記シリンダは、前記小径部と前記大径部が形成する段差においてプランジャ圧縮方向に面圧着し燃料をシールし、前記リングは、前記シリンダの面圧着部に予圧力を付加しかつ前記シリンダの直径方向を規制する。
【発明の効果】
【０００８】
このように構成した本発明によればシリンダに最も大きな力が作用する加圧工程時、シリンダは、大径部と小径部が形成する段差をより面圧着する方向に押し付けられる。
【０００９】
この時シリンダはカム回転力の分力により径方向に動かされ、結果プランジャ焼き付きが発生する可能性がある。本発明はリングがポンプ本体とシリンダの間に空隙なく固定されることにより、この動きを規制する。結果、簡便な構造でシリンダをポンプ本体に固定でき、信頼性の高いポンプを供給できる。
【図面の簡単な説明】
【００１０】
【図１】実施例１に係る高圧燃料供給ポンプの全体横断面図である。
【図２】図１とは異なる角度における、実施例１に係る高圧燃料供給ポンプの全体横断面図である。
【図３】実施例１に係る高圧燃料供給ポンプの上から見た全体断面図である。
【図４】実施例１に係る高圧燃料供給ポンプを全体システム図である。
【図５（ａ）】実施例１のリング１６周辺の第２実施例に係る拡大図である。
【図５（ｂ）】実施例１のリング１６周辺の第３実施例に係る拡大図である。
【発明を実施するための形態】
【００１１】
以下、本発明に係る実施例を説明する。
【実施例１】
【００１２】
図４に示すシステムの全体構成図を用いてシステムの構成と動作を説明する。
【００１３】
破線で囲まれた部分が高圧燃料供給ポンプ（以下高圧ポンプと呼ぶ）本体を示し、この破線の中に示されている機構及び部品は高圧ポンプ本体１に一体に組み込まれていることを示す。燃料タンク２０の燃料はフィードポンプ２１によって汲み上げられ、吸入配管２８を通してポンプ本体１の吸入ジョイント１０ａに送られる。
【００１４】
吸入ジョイント１０ａを通過した燃料は、圧力脈動低減機構９及び吸入通路１０ｂを介して容量可変機構を構成する電磁吸入弁３０の吸入ポート３０ａに至る。脈動防止機構９については後述する。
【００１５】
電磁吸入弁３０は、電磁コイル３０８を備える。電磁コイル３０８が通電されていない時は、アンカーばね３０３の付勢力と弁ばね３０４の付勢力の差により、吸入弁体３０１は開弁方向に付勢され、吸入口３０ｄは開けられた状態となっている。尚、アンカーばね３０３の付勢力と弁ばね３０４の付勢力は、（アンカーばね３０３の付勢力）＞（弁ばね３０４の付勢力）となるよう設定されている。
【００１６】
この電磁コイル３０８が通電されている状態ではアンカー３０５が図４の左方に移動した状態で、アンカーばね３０３が圧縮された状態が維持される。アンカー３０５の先端が同軸で接触するように取り付けられた吸入弁体３０１は弁ばね３０４の付勢力により高圧ポンプの加圧室１１につながる吸入口３０ｄを閉じている。
【００１７】
以下、高圧ポンプの動作について説明する。
【００１８】
後述するカムの回転により、プランジャ２が図４の下方に変位して吸入工程状態にある時は、加圧室１１の容積は増加し加圧室１１内の燃料圧力が低下する。この工程で加圧室    １１内の燃料圧力が吸入通路１０ｂ（吸入ポート３０ａ）の圧力よりも低くなると、燃料は、開口状態にある吸入口３０ｄを通り加圧室１１に流入する。
【００１９】
プランジャ２が吸入工程を終了し圧縮工程へと移行した場合、プランジャ２が圧縮工程（図１の上方へ移動する状態）に移る。ここで電磁コイル３０８は無通電状態を維持したままであり磁気付勢力は作用しない。
【００２０】
よって、吸入弁体３０１は、アンカーばね３０３の付勢力により開弁したままである。加圧室１１の容積は、プランジャ２の圧縮運動に伴い減少するが、この状態では、一度加圧室１１に吸入された燃料が、再び開弁状態の吸入弁体３０１を通して吸入通路１０ｂ（吸入ポート３０ａ）へと戻されるので、加圧室の圧力が上昇することは無い。この工程を戻し工程と称する。
【００２１】
この状態で、エンジンコントロールユニット２７（以下ＥＣＵと呼ぶ）からの制御信号が電磁吸入弁３０に印加されると電磁吸入弁３０の電磁コイル３０８には電流が流れ、磁気付勢力により電磁プランジャ３０５が図４の左方に移動し、アンカーばね３０３が圧縮された状態が維持される。
【００２２】
その結果、吸入弁体３０１にはアンカーばね３０３の付勢力が作用しなくなり、  弁ばね３０４による付勢力と燃料が吸入通路１０ｂ（吸入ポート３０ａ）に流れ込むことによる流体力が働く。そのため、吸入弁３０１は閉弁し吸入口３０ｄを閉じる。吸入口３０ｄが閉じると、このときから加圧室１１の燃料圧力はプランジャ２の上昇運動と共に上昇する。
【００２３】
そして、加圧室１１の燃料圧力が燃料吐出口１２の圧力以上になると、吐出弁機構８を介して加圧室１１に残っている燃料の高圧吐出が行われ、コモンレール２３へと供給される。この工程を吐出工程と称する。すなわち、プランジャ２の圧縮工程（下始点から上始点までの間の上昇工程）は、戻し工程と吐出工程からなる。
【００２４】
そして、電磁吸入弁３０の電磁コイル３０８への通電タイミングを制御することで、吐出される高圧燃料の量を制御することができる。電磁コイル３０８へ通電するタイミングを早くすれば、圧縮工程中の戻し工程の割合が小さく、吐出工程の割合が大きい。すなわち、吸入通路１０ｂ（吸入ポート３０ａ）に戻される燃料が少なく、高圧吐出される燃料は多くなる。
【００２５】
一方、通電するタイミングを遅くすれば圧縮工程中の、戻し工程の割合が大きく吐出工程の割合が小さい。すなわち、吸入通路１０ｂに戻される燃料が多く、高圧吐出される燃料は少なくなる。電磁コイル３０８への通電タイミングは、ＥＣＵ２７からの指令によって制御される。
【００２６】
以上のように構成することで、電磁コイルへ３０８への通電タイミングを制御することで、高圧吐出される燃料の量を内燃機関が必要とする量に制御することが出来る。
【００２７】
加圧室１１の出口には吐出弁機構８が設けられている。吐出弁機構８は吐出弁シート８ａ、吐出弁８ｂ、吐出弁ばね８ｃを備える。加圧室１１と燃料吐出口１２に燃料差圧が無い状態では、吐出弁８ｂは吐出弁ばね８ｃによる付勢力で吐出弁シート８ａに圧着され閉弁状態となっている。
【００２８】
加圧室１１の燃料圧力が、燃料吐出口１２の燃料圧力よりも大きくなった時に始めて、吐出弁８ｂは吐出弁ばね８ｃに逆らって開弁し、加圧室１１内の燃料は燃料吐出口１２を経てコモンレール２３へと高圧吐出される。
【００２９】
かくして、吸入ジョイント１０ａに導かれた燃料はポンプ本体１の加圧室１１にてプランジャ２の往復動によって必要な量が高圧に加圧され、燃料吐出口１２からコモンレール２３に圧送される。
【００３０】
コモンレール２３には、直接噴射用インジェクタ２４（所謂直噴インジェクタ）、圧力センサ２６が装着されている。直噴インジェクタ２４は、内燃機関の気筒数に合わせて装着されており、ＥＣＵ２７の制御信号にてしたがって開閉弁して、燃料をシリンダ内に噴射する。
【００３１】
ポンプ本体１にはさらに、吐出弁８ｂの下流側と加圧室１１とを連通する吐出流路１１０が燃料吐出口１２とは別に吐出弁８ｂをバイパスして設けられている。吐出流路１１０には燃料の流れを吐出流路１１０から加圧室１１への一方向のみに制限するリリーフ弁１０２が設けられている。リリーフ弁１０２は、押付力を発生するリリーフばね１０５によりリリーフ弁シート１０１に押付けられており、加圧室内とリリーフ通路内との間の圧力差が規定の圧力以上になるとリリーフ弁１０２がリリーフ弁シート１０１から離れ、開弁するように設定している。
【００３２】
直噴インジェクタ２４の故障等によりコモンレール２３等に異常高圧が発生した場合、吐出流路１１０と加圧室１１の差圧がリリーフ弁１０２の開弁圧力以上になると、リリーフ弁１０２が開弁し、異常高圧となった吐出流路１１０は吐出流路１１０から加圧室１１へと戻され、コモンレール２３等の高圧部配管が保護される。
【００３３】
以下に高圧燃料ポンプの構成、動作を図１乃至図４を用いてさらに詳しく説明する。
【００３４】
一般に高圧ポンプは、ポンプ本体１に設けられたフランジ１ｅ（図３参照）を用い内燃機関のシリンダヘッド４１（図１及び図２参照）の平面に密着して固定される。シリンダヘッド４１とポンプ本体１間の気密保持のためにＯリング６１（図１及び図２参照）がポンプ本体１に嵌め込まれている。
【００３５】
ポンプ本体１にはプランジャ２の進退運動をガイドし、かつ内部に加圧室１１を形成するよう端部が有底筒型状に形成されたシリンダ６が取り付けられている。さらに加圧室１１は燃料を供給するための電磁吸入弁３０（図１参照）と加圧室１１から吐出通路に燃料を吐出するための吐出弁機構８（図３参照）に連通するよう複数個の連通穴１１ａ（１１ａ）が設けられている。
【００３６】
プランジャ２の下端には、内燃機関のカムシャフトに取り付けられたカム５の回転運動を上下運動に変換し、プランジャ２に伝達するタペット３が設けられている。プランジャ２はリテーナ１５を介してばね４にてタペット３に圧着されている。これによりカム５の回転運動に伴い、プランジャ２を上下に進退（往復）運動させることができる。
【００３７】
また、シールホルダ７の内周下端部に保持されたプランジャシール１３（図１）がシリンダ６の図中下端部においてプランジャ２の外周に摺動可能に接触する状態で設置されている。これによりプランジャ２とシリンダ６との間のブローバイ隙間がシールされ、燃料がポンプ外部に漏れることを防止する。同時に内燃機関内の摺動部を潤滑する潤滑油（エンジンオイルも含む）がブローバイ隙間を介してポンプ本体１の内部に流入するのを防止する。
【００３８】
図４に示されたフィードポンプ２１によって汲み上げられた燃料は、吸入配管２８と結合された吸入ジョイント１０ａを介してポンプ本体１に送られる。
【００３９】
ダンパカバー１４（図１及び図２）は、ポンプ本体１と結合することにより低圧燃料室１０（図２参照）を形成し、吸入ジョイント１０ａを通過した燃料が流入する。低圧燃料室１０の上流には、燃料中に含まれる金属粉等の異物を除去するために燃料フィルタ１２２が、たとえばポンプ本体１に圧入されるなどして取り付けられている。
【００４０】
低圧燃料室１０には高圧ポンプ内で発生した圧力脈動が吸入配管２８へ波及するのを低減減させる圧力脈動低減機構９が設置されている。一度、加圧室１１に吸入された燃料が、容量制御状態のため再び開弁状態の吸入弁体３０１を通して吸入通路１０ｂ（吸入ポート３０ａ）へと戻される場合、吸入通路１０ｂ（吸入ポート３０ａ）へ戻された燃料により低圧燃料室１０には圧力脈動が発生する。
【００４１】
しかし、低圧燃料室１０に設けた圧力脈動低減機構９は、波板状の円盤型金属板２枚をその外周で張り合わせ、内部にアルゴンのような不活性ガスを注入した金属ダンパ９ａで形成されており、圧力脈動はこの金属ダンパ９ａが膨張・収縮することで吸収低減される。９ｂは金属ダンパ９ａをポンプ本体１の内周部に固定するための取り付け金具である。
【００４２】
電磁吸入弁３０は、電磁コイル３０８を備え、端子３０７を介してＥＣＵ２７と接続され、通電と無通電を繰り返すことにより吸入弁の開閉を制御することにより燃料の流量を制御する可変制御機構である。
【００４３】
電磁コイル３０８が通電されていない時、吸入弁体３０１には、アンカー３０５及びアンカー３０５に一体となるよう形成されたアンカーロッド３０２を介してアンカーばね３０３の付勢力が伝達される。吸入弁体３０１内側に設置された弁ばね３０４の付勢力は、（アンカーばね３０３の付勢力）＞（弁ばね３０４の付勢力）となるよう設定されており、結果、吸入弁体３０１は開弁方向に付勢され吸入口３０ｄは開けられた状態となっている。この時アンカーロッド３０２と吸入弁体３０１は３０２ｂに示す部位で接触している（図１に示す状態）。
【００４４】
電磁コイル３０８の通電により発生する磁気付勢力は、アンカー３０５が固定子３０６側にアンカーばね３０３の付勢力に打ち勝って吸引可能な力を有するように設定される。通電時にアンカーばね３０３は固定子３０６側に移動（図の左側）し、アンカーロッド３０２端部に形成されたストッパ３０２ａがアンカーロッド軸受３０９に当接して係止する。この時アンカーロッド３０２の移動量と吸入弁体３０１の移動量は、（アンカーロッド３０２の移動量）＞（吸入弁体３０１の移動量）、となる様にクリアランスが設定されておりアンカーロッド３０２と吸入弁体３０１の接触部３０２ｂは開放され、結果、吸入弁体３０１は、弁ばね３０４により付勢され吸入口３０ｄは閉じられた状態となる。
【００４５】
電磁吸入弁３０は、吸入弁体３０１が加圧室への吸入口３０ｄを塞ぐことができるよう吸入弁シート３１０が筒状ボス部１ｂに機密を保って挿入され、ポンプ本体１に固定される。電磁吸入弁３０がポンプ本体１に取り付けられた際、吸入ポート３０ａと吸入通路１０ｂとが接続される。
【００４６】
吐出弁機構８は、吐出弁８ｂの摺動軸中心に対し放射状に複数個設けられた吐出通路が穿設され、中心に往復摺動を保持可能なように軸受を設けた吐出弁シート８ａと、吐出弁シート８ａの軸受けに対し摺動可能な様に中心軸を設け外周部に吐出弁シート部材８ａと接触することにより気密保持可能な環状接触面を有する吐出弁８ｂを有する。さらに吐出弁８ｂを閉弁方向に付勢する弦巻ばねで構成される吐出弁ばね３３が挿入、保持されている。
【００４７】
吐出弁シート８ａは、たとえば圧入によりポンプ本体１に保持され、吐出弁８ｂ、吐出弁ばね３３が挿入され封止プラグ１７によりポンプ本体１に封止されることにより吐出弁機構８を構成している。以上のように構成することで、吐出弁機構８は燃料の流通方向を制限する逆止弁として作用する。
【００４８】
さらに、リリーフ弁機構１００の動作を詳細に説明する。リリーフ弁機構１００は、図１又は図３に示すように、リリーフ弁ストッパ１０１、リリーフ弁１０２、リリーフシート１０３、リリーフばねストッパ１０４、リリーフばね１０５から構成される。
【００４９】
リリーフ弁シート１０３は、リリーフ弁１０２が摺動可能なように設けられた軸受を有している。摺動軸を一体に有しているリリーフ弁１０２は、リリーフ弁シート１０３に挿入した後、リリーフばね１０５を所望の荷重になる様にリリーフばねストッパ１０４の位置を規定、リリーフ弁１０２に圧入等により固定する。
【００５０】
リリーフ弁１０２の開弁圧力は、このリリーフばね１０４による押付力で規定される。また、リリーフ弁ストッパ１０１は、ポンプ本体１とリリーフ弁シート１０３の間に挿入されリリーフ弁１０２の開口量を制限するストッパとして機能する。
【００５１】
こうしてユニット化されたリリーフ弁機構１００をポンプ本体１に設けた筒状貫通口１Ｃの内周壁にリリーフ弁シート１０３を圧入することによって固定する。ついで燃料吐出出口１２をポンプ本体１の筒状貫通口１Ｃを塞ぐように固定し、燃料が高圧ポンプから外部へ漏れるのを防止すると同時に、コモンレールとの接続を可能とする。
【００５２】
このように、リリーフ弁１０２の燃料吐出口１２側にリリーフばね１０５を設けることで、リリーフ弁機構１００のリリーフ弁１０２の出口を加圧室１１に開口しても加圧室１１の容積が増加することはない。
【００５３】
プランジャ２の動きにより加圧室１１の容積が減少を始めると、加圧室１１内の圧力は容積減少に伴って増大していく。そして、ついに吐出流路１１０内の圧力よりも加圧室内の圧力が高くなると、吐出弁機構８が開弁し燃料は加圧室１１から吐出流路１１０（図３参照）へと吐出されていく。この吐出弁機構８が開弁する瞬間から直後にかけて、加圧室１１内の圧力はオーバーシュートして非常な高圧となる。この高圧が吐出流路１１０内にも伝播して、吐出流路１１０内の圧力も同じタイミングでオーバーシュートする。
【００５４】
もしここで、リリーフ弁機構１００の出口が吸入流路１０ｂに接続されていたならば、吐出流路１１０内の圧力オーバーシュートにより、リリーフ弁１０２の入口・出口の圧力差がリリーフ弁機構１００の開弁圧力よりも大きくなってしまい、リリーフ弁１０２が誤動作してしまう。
【００５５】
これに対し本実施例では、リリーフ弁機構１００の出口が加圧室１１に接続されているので、リリーフ弁機構１００の出口には加圧室１１内の圧力が作用し、リリーフ弁機構１００の入口には吐出流路１１０内の圧力が作用する。ここで、加圧室１１内と吐出流路１１０内では同じタイミングで圧力オーバーシュートが発生しているので、リリーフ弁１０２の入口・出口の圧力差はリリーフ弁１０２の開弁圧力以上になることがない。すなわち、リリーフ弁１０２が誤動作することはない。
【００５６】
プランジャ２の動きにより加圧室１１の容積が増加を始めると容積増加に伴って加圧室１１内の圧力は減少し、吸入通路１０ｂ（吸入ポート３０ａ）内の圧力よりも低くなると、燃料は吸入通路１０ｂ（吸入ポート３０ａ）から加圧室１１に流入する。そして再びプランジャ２の動きにより、加圧室１１の容積が減少を始めると上記のメカニズムにより燃料を高圧に加圧して吐出する。
【００５７】
次に、図４に示される直噴インジェクタ２４の故障等によりコモンレール２３等に異常高圧が発生した場合について詳しく説明する。
【００５８】
直噴インジェクタ２４の故障、つまり噴射機能が停止してコモンレール２３に送られてきた燃料を内燃機関の燃焼室内に供給できなくなると、吐出弁機構８とコモンレール２３間に燃料がたまり、燃料圧力が異常高圧になる。
【００５９】
この場合、緩やかな圧力上昇であれば、コモンレール２３に設けた圧力センサ２６で異常が検知され、吸入通路吸入通路１０ｂ（吸入ポート３０ａ）に設けた容量制御機構であるところの電磁吸入弁３０をフィードバック制御して吐出量を少なくする安全機能が動作するが、瞬間的な異常高圧は、この圧力センサ２６を使ったフィードバック制御では対処できない。
【００６０】
また、電磁吸入弁３０が故障して最大容量時の様態のまま機能しなくなった場合、燃料がそれほど多く要求されていない運転状態では吐出圧力が異常に高圧になる。この場合はコモンレール２３の圧力センサ２６が異常高圧を検知しても、容量制御機構そのものが故障しているので、この異常高圧を解消することができない。このような異常高圧が発生した場合に実施例のリリーフ弁機構１００が安全弁として機能する。
【００６１】
プランジャ２の動きにより加圧室１１の容積が増加を始めると容積増加に伴って加圧室１１内の圧力は減少し、リリーフ弁機構１００の入口すなわち吐出流路１１０の圧力が、リリーフ弁１０２の出口すなわち加圧室１１の圧力よりもリリーフ弁機構１００の開弁圧力以上に高くなると開弁し、コモンレール２３内で異常高圧となった燃料を加圧室１１内に戻す。これにより、異常高圧発生時でも規定の圧力以上にはならず、コモンレール２３等の高圧配管系の保護がなされる。
【００６２】
本実施例のシリンダ構造について詳しく説明する。
【００６３】
シリンダ６は、その外径において大径部６ｂと小径部６ｃを有する。小径部６ｃがポンプ本体１に圧入され、小径部６ｃに作用する周方向の面圧により吸入通路１０ｂと加圧室１１ａの圧力を保持する。
【００６４】
具体的には吸入通路１０ｂの圧力は、フィードポンプ２１により高圧ポンプに供給される低圧側燃料圧力であり、およそ０．４ＭＰａ程度である。一方、加圧室１１に生じる圧力は、高圧ポンプで加圧された圧力で、瞬間的な圧力はおよそ３０〜５０ＭＰａ程度になる。この加圧された燃料が加圧室１１からシリンダ６の側面に明けられた複数個の連通穴１１ａを通り、吐出弁機構８（図３及び図４を参照）を通り燃料吐出口１２を通り、コモンレール２３に供給される。小径部６ｃの圧入代は、この加圧圧力により燃料が吸入通路１０ｂに漏れることの無いように設定される。
【００６５】
一方、大径部６ｂとポンプ本体１の内径には空隙を有する。これは、ポンプ動作時の発熱によるシリンダ６及びポンプ本体１の線膨張を吸収するためである。
【００６６】
プランジャ２の圧縮工程時（図１の上方にプランジャが変位するとき）、燃料は加圧室１１で加圧され、その加圧力はシリンダ６の内径底面に作用し、その結果、大径部６ｂと小径部６ｃの段差６ａがポンプ本体１に面圧着する。加圧された燃料がシールホルダ７とシリンダ下端で形成される空間（以下副圧室と呼ぶ）に漏れが無きようにシールする。
【００６７】
この副圧室は吸入通路１０ｂに連通しており、その圧力は低圧側燃料圧力の値に等しい。プランジャ２の圧縮工程時に加圧された燃料圧力が面圧着部に作用するが、このときにシリンダ６の有底部は加圧力を受け、その力は面圧着部をより密着させる漏れを回避する方向に作用する。
【００６８】
高圧ポンプの構造において動作工程中、最も大きな力が作用する圧縮工程中に、シリンダ６がカム５により発生する横力方向分力により動き、その結果プランジャ２とシリンダ６間の摩擦力が過大となりプランジャ焼き付きが発生する恐れがある。
【００６９】
本実施例においては、上記説明のように圧縮工程中にシリンダ６の動きを規制するようリング１６がポンプ本体１とシリンダ６の空隙を無くする様に構成されている。
【００７０】
一方、吸入工程時（図１の下方にプランジャ２が変位するとき）、シリンダ６には、吸入通路１０ｂの低圧側燃料圧力による力がシリンダ６をポンプ本体１から離脱させる作用する。前述のように低圧側圧力は０．４ＭＰａ程度であり、ここで小径部６ｃの直径を例えば１３ｍｍとすると、シリンダ６に作用する離脱力は５３Ｎ程度であり小径部６ｃとポンプ本体１の圧入力で保持可能な値である。
【実施例２】
【００７１】
図５（ａ）は、実施例１のリング１６周辺の第２実施例に係る拡大図である。リング１６はポンプ本体１にメタルフロー（塑性流動結合）１ｄで固定される。
【００７２】
ポンプ本体１にシリンダ６を組み込み時に所望の押し付け荷重を得る様にリング１６を与圧しつつポンプ本体１に組み込んだ後にリングをメタルフローでリング１６をポンプ本体１に固定するものである。
【００７３】
図５（ｂ）は、実施例１のリング１６周辺の第３実施例に係る拡大図である。リング１６をかしめ１ｆでリング１６をポンプ本体１に固定する事も可能である。
【符号の説明】
【００７４】
１…ポンプ本体、１ｂ…筒状ボス部、１Ｃ…筒状貫通口、１ｄ…メタルフロー、１ｅ…フランジ、１ｆ…かしめ、２…プランジャ、３…タペット、４…ばね、５…カム、６…シリンダ、６ａ…段差、６ｂ…大径部、６ｃ…小径部、７…シールホルダ、８…吐出弁機構、８ａ…吐出弁シート、８ｂ…吐出弁、８ｃ…吐出弁ばね、９…圧力脈動低減機構、９ａ…金属ダンパ、９ｂ…取り付け金具、１０…低圧燃料室、１０ａ…吸入ジョイント、１０ｂ…吸入通路、１１…加圧室、１１ａ…連通穴、１２…燃料吐出口、１３…プランジャシール、１４…ダンパカバー、１５…リテーナ、１６…リング、１７…封止プラグ、２０…燃料タンク、２１…フィードポンプ、２３…コモンレール、２４…直噴インジェクタ、２６…圧力センサ、２７…エンジンコントロールユニット、２８…吸入配管、３０…電磁吸入弁、３０ａ…吸入ポート、３０ｄ…吸入口、３３…吐出弁ばね、４１…シリンダヘッド、６１…Ｏリング、１００…リリーフ弁機構、１０１…リリーフ弁シート、１０２…リリーフ弁、１０３…リリーフシート、１０４…リリーフばねストッパ、１０５…リリーフばね、１１０…吐出流路、１２２…燃料フィルタ、３０１…吸入弁体、３０２…アンカーロッド、３０２ａ…ストッパ、３０２ｂ…接触部、３０３…アンカーばね、３０４…弁ばね、３０５…アンカー、３０６…固定子、３０７…端子、３０８…電磁コイル、３０９…アンカーロッド軸受、３１０…吸入弁シート
【図１】
2019027334.tif 000003
【図２】
2019027334.tif 000004
【図３】
2019027334.tif 000005
【図４】
2019027334.tif 000006
【図５（ａ）】
2019027334.tif 000007
【図５（ｂ）】
2019027334.tif 000008